(57)【要約】【課題】  プラント設備に警報が発生したときに的確な人に対し的確な情報を総合的に提供できるプラント監視装置を得ることである。【解決手段】  複数の携帯端末を予めカテゴリ分けしたデータを記憶する端末データベースと、カテゴリ分けされた複数の携帯端末に対し警報に応じてその警報を送信するタイミング及び警報発生器に警報を発報するタイミングを予め記憶する警報データベースと、プラント設備に警報が発生したとき警報データベースに記憶された情報に基づき該当の携帯端末に対して警報を送信する警報送信部とを備えている。【選択図】  図１
2005339428.tif 000002
【特許請求の範囲】
【請求項１】
プラント設備に警報が発生したときに複数の携帯端末に警報を提供するプラント監視装置において、複数の携帯端末を予めカテゴリ分けしたデータを記憶する端末データベースと、カテゴリ分けされた複数の携帯端末に対し警報に応じてその警報を送信するタイミング及び警報発生器に警報を発報するタイミングを予め記憶する警報データベースと、前記プラント設備に警報が発生したとき警報データベースに記憶された情報に基づき該当の携帯端末に対して警報を送信する警報送信部とを備え、前記警報データベースは、前記プラント設備の警報毎に最初に警報を送信する対象とする携帯端末のカテゴリと、最初に警報を送信したカテゴリの携帯端末から当該警報を認識した旨のフィードバックがない場合に次にその警報を送信する対象とする携帯端末のカテゴリと、各警報に対し最初に警報を送信してから次のカテゴリの警報端末に警報を送信するまでの時間差、次に警報を送信してから当該警報を認識した旨のフィードバックがない場合にプラント内に予め設置した警報発生器に警報を発報するまでの時間差を予め記憶することを特徴とするプラント監視装置。
【請求項２】
警報毎に警報の発生したプラントエリアを予め設定するための警報プラントエリアデータベースと、前記プラントエリア毎にプロセス値や状態値及び関連する設定値を設定するためのプラント情報データベースとを備え、前記警報送信部は、前記プラント設備に警報が発生した場合に、警報プラントエリアデータベースに基づいて当該警報に設定されているプラントエリアを識別し、前記プラント情報データベースに登録されているプロセス値や状態値及び関連する設定値を自動的に該当の携帯端末に送信することを特徴とする請求項１に記載のプラント監視装置。
【請求項３】
前記プラント設備に警報が発生したときに運転員が警報の原因や状況をフリーフォーマットで入力する警報情報入力部と、前記警報情報入力部で入力された原因や状況を警報要因として記憶する警報情報記憶部とを備え、前記警報送信部はプラント設備に警報が発生したとき前記警報情報記憶部に基づいて過去に発生した警報の警報要因を自動的に該当の携帯端末に送信することを特徴とする請求項１に記載のプラント監視装置。
【請求項４】
警報毎に警報発生後の一定時間あるいは警報がＯＦＦするまでの間の運転員による手動操作の履歴を記憶する手動操作記憶部を備え、前記警報送信部は、前記プラント設備に警報が発生したときに前記手動操作記憶部に記憶されている該当警報の過去の手動操作履歴を自動的に該当の携帯端末に送信することを特徴とする請求項１に記載のプラント監視装置。
【請求項５】
警報が発生した時に一定時間以上に亘って手動操作がない場合には手動操作で行う操作を自動で行う手動操作代理部を備えたことを特徴とする請求項１記載のプラント監視装置。
【請求項６】
プラント設備の各位置に予め設置された複数台のＣＣＤカメラと、各ＣＣＤカメラにプラントエリアを割り当て記憶する映像データベースと、警報毎に警報の発生したプラントエリアを予め設定するための警報プラントエリアデータベースとを備え、前記警報送信部は、前記プラント設備に警報が発生したとき当該警報に対応して予め設定されているプラントエリアに登録されているＣＣＤカメラの映像を自動的に該当の携帯端末に送信することを特徴とする請求項１に記載のプラント監視装置。
【請求項７】
プラント設備に警報が発生したときに複数の携帯端末に警報を提供するプラント監視方法において、複数の携帯端末を予めカテゴリ分けしたデータを予め記憶し、カテゴリ分けされた複数の携帯端末に対し警報に応じてその警報を送信するタイミング及び警報発生器に警報を発報するタイミングを予め記憶し、プラント設備に警報が発生したとき予め記憶した情報に基づき該当の携帯端末に対して警報を送信することを特徴とするプラント監視方法。
【発明の詳細な説明】
【技術分野】
【０００１】
本発明はプラント設備に警報が発生したときに適切な人に対し的確な情報を総合的に提供するプラント監視装置及び方法に関するものである。
【背景技術】
【０００２】
一般に、プラント設備の安定かつ安全な運用に際しては、プラントの状態量を監視し、異常が発生した場合には警報を出力するとともに、警報状態を解除するための操作を行うようにしている。
【０００３】
プラントに事故が発生したときの適切な操作手順を運転員に提示するようにしたものがある（例えば、特許文献１参照）。また、過去のプラントの異常発生や異常発生に対する対応操作を蓄積しておき、収集されたプラントデータの解析を行い、その解析結果及び過去のプラントの異常発生や異常発生に基づいて、異常発生原因や異常発生に対する対応操作をプラントのユーザに連絡するようにしたものがある（例えば、特許文献２参照）。また、電子メールにてプラント状態を遠隔地のクライアント装置に送信するようにしたものもある（例えば、特許文献３参照）。
【特許文献１】特開２００３−５８２８号公報
【特許文献２】特開２００２−６９４２号公報
【特許文献３】特開２００２−３１９０８５号公報
【発明の開示】
【発明が解決しようとする課題】
【０００４】
しかし、従来技術のものでは、運転員が中央操作室に居ない場合に警報が発生した場合には、警報が発生したこと事態は、ポケットベル等の小型携帯端末にて運転員に連絡可能であるが、連絡できる情報は限られ情報量が少ないので、原因を類推するには中央操作室に戻って関連プロセス値等の確認を行う必要がある。
【０００５】
また、警報が発生した場合に、経験の浅い運転員は、当該警報が発生した状態で何もせずに放置した場合に、どのようにプラント状態が推移するかを把握することが困難である。さらに、警報が発生した場合に、関連プロセス値による確認以外に、現場の状態を目視点検することが多いが、プラントのどの機器を確認するべきかを経験の浅い運転員は把握するのが困難である。
【０００６】
一方、過去に当該警報が発生したときに何らかの操作を行ったかどうかは担当者の記憶による部分が大きく当時の担当者への確認や運転日報の確認等が必要である。警報が発生した場合の運転員の対応については、運転員個人の経験や能力に依存した対応となり、必ずしも適切な操作が行われるとは限らなかった。
【０００７】
本発明の目的は、プラント設備に警報が発生したときに的確な人に対し的確な情報を総合的に提供できるプラント監視装置及び方法を得ることである。
【課題を解決するための手段】
【０００８】
本発明のプラント監視装置は、複数の携帯端末を予めカテゴリ分けしたデータを記憶する端末データベースと、カテゴリ分けされた複数の携帯端末に対し警報に応じてその警報を送信するタイミング及び警報発生器に警報を発報するタイミングを予め記憶する警報データベースと、前記プラント設備に警報が発生したとき警報データベースに記憶された情報に基づき該当の携帯端末に対して警報を送信する警報送信部とを備え、前記警報データベースは、前記プラント設備の警報毎に最初に警報を送信する対象とする携帯端末のカテゴリと、最初に警報を送信したカテゴリの携帯端末から当該警報を認識した旨のフィードバックがない場合に次にその警報を送信する対象とする携帯端末のカテゴリと、各警報に対し最初に警報を送信してから次のカテゴリの警報端末に警報を送信するまでの時間差、次に警報を送信してから当該警報を認識した旨のフィードバックがない場合にプラント内に予め設置した警報発生器に警報を発報するまでの時間差を予め記憶することを特徴とする。
【０００９】
本発明のプラント監視方法は、プラント設備に警報が発生したときに複数の携帯端末に警報を提供するプラント監視方法において、複数の携帯端末を予めカテゴリ分けしたデータを予め記憶し、カテゴリ分けされた複数の携帯端末に対し警報に応じてその警報を送信するタイミング及び警報発生器に警報を発報するタイミングを予め記憶し、プラント設備に警報が発生したとき予め記憶した情報に基づき該当の携帯端末に対して警報を送信することを特徴とする。
【発明の効果】
【００１０】
本発明によれば、プラント設備に警報が発生したときに的確な人に対し的確な情報を総合的に提供できる。
【発明を実施するための最良の形態】
【００１１】
以下、本発明の実施の形態を説明する。図１は本発明の第１の実施の形態に係わるプラント監視装置のブロック構成図である。プラント監視装置１１は、複数の携帯端末１２を予めカテゴリ分けしたデータを記憶する端末データベース１３と、カテゴリ分けされた複数の携帯端末１２に対し警報に応じてその警報を送信するタイミング及び警報発生器に警報を発報するタイミングを予め記憶する警報データベース１４と、プラント設備に警報が発生したとき警報データベース１４に記憶された情報に基づき該当の携帯端末１２に対して警報を送信する警報送信部１５とから構成される。
【００１２】
図２は警報データベース１４の説明図である。警報データベース１４は、警報項目を表す警報Ｔａｇ番号、警報名称、第１の端末カテゴリ、第２の端末カテゴリ、時間差（Time）、警報発報時間差（Siren Time）から構成される。
【００１３】
携帯端末の第１の端末カテゴリには、プラント設備の警報毎に最初に警報を送信する対象の携帯端末が予め設定される。第２の端末カテゴリには、最初に警報を送信した第１の端末カテゴリの携帯端末から当該警報を認識した旨のフィードバックがない場合に、次にその警報を送信する対象とする携帯端末が予め設定される。時間差（Time）には、各警報に対し最初に警報を送信してから次のカテゴリの警報端末に警報を送信するまでの時間差が予め設定される。警報発報時間差（Siren Time）には、次に警報を送信してから当該警報を認識した旨のフィードバックがない場合に、プラント内に予め設置した警報発生器に警報を発報するまでの時間差が予め設定される。
【００１４】
すなわち、警報データベース１４には、警報Ｔａｇ番号、最初に送信を行う携帯端末のカテゴリ（第１の端末カテゴリ）、次に送信を行う携帯端末のカテゴリ（第２の端末カテゴリ）、第１の端末カテゴリに送信後、第２の端末カテゴリに送信するまでの時間差（Time）、警報を発報する（サイレンを鳴らす）までの警報発報時間差（Siren Time）が予め記憶される。
【００１５】
次に、端末データベース１３は、図３に示すように、各携帯端末固有の識別番号と各携帯端末が属するカテゴリが予め記憶される。図３では、９台の携帯端末１２に対して、所属するカテゴリを記憶している場合を示している。
【００１６】
図４は、図２の警報データベース１４において、警報Ｔａｇが「BAA40 AA010」で警報名称が「ＢＦＰ吸込流量低」である警報が発生した場合の警報送信部１５の処理内容の説明図である。
【００１７】
警報送信部１５では警報データベース１４と端末データベース１３とから、最初に送信を行う携帯端末１２と次に送信を行う携帯端末１２とを取得し、第１の端末カテゴリの携帯端末に送信する。そして、時間差（Time）（５秒）を経過しても第１の端末カテゴリの携帯端末から当該警報を認識した旨のフィードバックがない場合には、第２の端末カテゴリの携帯端末に送信する。そして、警報を送信してから警報発報時間差（Siren Time）が経過しても第２の端末カテゴリの携帯端末から当該警報を認識した旨のフィードバックがない場合には、プラント内に予め設置した警報発生器に警報を発報する。
【００１８】
第１の実施の形態によれば、携帯端末１２に対して、警報が発生した旨を連絡することができ運転員が中央操作室にいなくてもプラントの状態を把握できるのみならず、警報を送信する対象となる携帯端末を限定することができるため、当該警報に関する適任者へ警報が発生したことを知らせることができる。また、時間設定が可能であることにより、警報の重要度によって管理者にすぐに情報を送信するか、担当者レベルのみの送信とするかを変えることが可能となり、適任者のみへ警報が発生したことを知らせることが可能となる。
【００１９】
次に、本発明の第２の実施の形態を説明する。図５は本発明の第２の実施の形態に係わるプラント監視装置の構成図である。この第２の実施の形態は、図１に示した第１の実施の形態に対し、警報毎に警報の発生したプラントエリアを予め設定するための警報プラントエリアデータベース１６と、プラントエリア毎にプロセス値や状態値及び関連する設定値を設定するためのプラント情報データベース１７とを追加して設けたものである。図１と同一要素には同一符号を付し重複する説明は省略する。
【００２０】
図６は警報プラントエリアデータベース１６の説明図、図７はプラント情報データベース１７の説明図である。警報プラントエリアデータベース１６には、図６に示すように、各警報が所属するプラントエリアが記憶されている。例えば、警報Ｔａｇ番号「BAA10 AA010」、「BAA20 AA010」はプラントエリアがＣＥＰであり、警報Ｔａｇ番号「BAA30 AA010」はプラントエリアが脱気器である。
【００２１】
そして、警報Ｔａｇ番号「BAA10 AA010」、「BAA20 AA010」に対応して、プラント情報データベース１７には、図７に示すように、プロセス値や状態値及び関連する設定値が登録されている。
【００２２】
このように、警報プラントエリアデータベース１６には警報毎にプラントエリアが記憶され、プラント情報データベース１７には各プラントエリアに対して関連するプロセス値が記憶される。
【００２３】
警報送信部１５は、プラント設備に警報が発生した場合に、警報プラントエリアデータベース１６に基づいて当該警報に設定されているプラントエリアを識別し、プラント情報データベース１７に登録されているプロセス値や状態値及び関連する設定値を自動的に該当の携帯端末１２に送信する。
【００２４】
第２の実施の形態によれば、単に警報が発生したことを、特定の携帯端末１２に送信するだけでなく、当該警報に関連するプラント状態を同時に携帯端末１２に送信するので、プラント状態も把握をすることが可能となる。従って、警報が発生したときに中央操作室にいなくても、警報発生後の判断を容易に行うことができる。
【００２５】
次に、本発明の第３の実施の形態を説明する。図８は本発明の第３の実施の形態に係わるプラント監視装置の構成図である。この第３の実施の形態は、図１に示した第１の実施の形態に対し、プラント設備に警報が発生したときに運転員が警報の原因や状況をフリーフォーマットで入力する警報情報入力部１８と、前記警報情報入力部で入力された原因や状況を警報要因として記憶する警報情報記憶部１９とを追加して設けたものである。図１と同一要素には同一符号を付し重複する説明は省略する。
【００２６】
図８において、警報が発生したときに、運転員は警報情報入力部１８により、プラント状態や気付いたことをフリーフォーマットにて入力し、警報情報記録部１９に記録する。そして、当該警報が発生したときに、警報送信部１５は警報情報記憶部１９に記録されたプラント状態や気付いたことを携帯端末１２に送信する。
【００２７】
ここで、警報送信部１５は警報が発生したときに警報情報記憶部１９に当該警報の情報が記憶されているかを検索し、当該情報が記憶されている場合にはその警報情報を携帯端末１２に送信する機能を有する。また、携帯端末１２は、フリーフォーマットにて保存された情報を表示する機能を有している。さらに、警報情報入力部１８は、各警報に対してフリーフォーマットでプラント状態や気付いたこと等をテキストや図で入力できる機能を有する。さらに、警報情報記憶部１９は、警報毎に警報情報入力部１８にて入力された内容を記憶する機能を有する。
【００２８】
図９は、警報情報入力部１８から入力され警報情報記憶部１９に記憶された警報情報の一例の説明図である。図９では、ＣＥＰ吐出低という警報に対して運転員がフリーフォーマットにて入力したプラント状態や気付いたことの一例を示している。すなわち、過去に当該警報が発生したときに運転員がプラント状態を入力した一例を示すものである。
【００２９】
そして、警報送信部１５はプラント設備に警報が発生したとき警報情報記憶部１９のデータを検索し、当該警報の情報があれば、その過去に発生した警報の警報要因を自動的に該当の携帯端末１２に送信する。
【００３０】
第３の実施の形態によれば、過去に同様な警報が発生していた場合に、その情報を該当の携帯端末に送信することができるので、警報が発生したときに中央操作室にいなくても、過去の状況を把握し適切な判断の支援を行うことが可能となる。
【００３１】
次に、本発明の第４の実施の形態を説明する。図１０は本発明の第４の実施の形態に係わるプラント監視装置の構成図である。この第４の実施の形態は、図１に示した第１の実施の形態に対し、警報毎に警報発生後の一定時間あるいは警報がＯＦＦするまでの間の運転員による手動操作の履歴を記憶する手動操作記憶部２０を追加して設け、警報送信部１５は、プラント設備に警報が発生したときに手動操作記憶部２０に記憶されている該当警報の過去の手動操作履歴を自動的に該当の携帯端末１２に送信するようにしたものである。図１と同一要素には同一符号を付し重複する説明は省略する。
【００３２】
図１０において、プラント設備に警報が発生したときに、手動操作記憶部２０は、警報発生後一定時間あるいは警報がＯＦＦするまでの中央操作室からの手動操作を記憶する。警報送信部１５は、手動操作記憶部２０に記憶された過去の手動操作を閲覧し、同じ警報が再度発生したときには、その情報を携帯端末１２に送信して、的確な判断ができるように支援を行う。
【００３３】
手動操作記憶部２０は、警報が発生した場合、警報発生から一定時間あるいは警報がＯＦＦするまでの中央操作室からの手動操作を記憶する。図１１は手動操作記憶部２０に記憶された手動操作履歴の一例の説明図であり、図１１ではＣＥＰ吐出圧力低警報発生時の手動操作を記憶した一例を示している。この一例では、ＣＥＰＡを手動で起動したために吐出圧力低警報はＯＦＦし、その時点で手動操作の記録を停止している一例であるが、記録停止のタイミングは一定時間とすることも可能である。
【００３４】
第４の実施の形態によれば、過去に同じ警報が発生していた場合、警報発生直後のプラント手動操作の過去実績を携帯端末１２で参照することが可能となり、より的確な判断ができる。
【００３５】
次に、本発明の第５の実施の形態を説明する。図１２は本発明の第５の実施の形態に係わるプラント監視装置の構成図である。この第５の実施の形態は、図１に示した第１の実施の形態に対し、警報が発生した時に一定時間以上に亘って手動操作がない場合には手動操作で行う操作を自動で行う手動操作代理部２１を追加して設けたものである。図１と同一要素には同一符号を付し重複する説明は省略する。
【００３６】
図１２において、警報発生後に一定時間警報が継続した場合には手動操作代理部２１により運転員の操作を代理で行い、プラントの運転を継続して行う。手動操作代理部２１は警報が発生したときに時間のカウントアップを開始し、予め設定された設定時間を超過した場合に制御装置に対して自動操作を要求する。図１３は手動操作代理部２１に予め設定されている手動操作項目の一例の説明図である。この一例では、脱気器水位高警報が１分間継続した場合に、脱気器水位調整弁を運転員の代わりにAuto Modeに選択することを示している。
【００３７】
第５の実施の形態によれば、警報が発生したことを運転員が認識していなかった場合でも、手動操作を代理にて行うことが可能となるためプラント安定運用を継続することができる。
【００３８】
次に、本発明の第６の実施の形態を説明する。図１４は本発明の第６の実施の形態に係わるプラント監視装置の構成図である。この第６の実施の形態は、図１に示した第１の実施の形態に対し、プラント設備の各位置に予め複数台のＣＣＤカメラ２２を設置し、各ＣＣＤカメラ２２にプラントエリアを割り当て記憶する映像データベース２３と、警報毎に警報の発生したプラントエリアを予め設定するための警報プラントエリアデータベース１６と、各ＣＣＤカメラ２２で撮影した映像を入力する画像入力部２４とを追加して設け、警報送信部１５は、プラント設備に警報が発生したとき当該警報に対応して予め設定されているプラントエリアに登録されているＣＣＤカメラ２２の映像を自動的に該当の携帯端末１２に送信するようにしたものである。図１と同一要素には同一符号を付し重複する説明は省略する。
【００３９】
図１４において、予めプラント設備の各機器廻りにＣＣＤカメラ２２が設置されており、警報が発生したときに、その警報が発生したプラント設備の廻りのＣＣＤカメラ２２からの映像を画像入力部２４で入力し、警報送信部１５はその適切な映像を携帯端末１２に送信する。
【００４０】
警報プラントエリアデータベース１６は第２の実施の形態における警報プラントエリアデータベース１６と同様なものである。映像データベース２３では、予め設定された各ＣＣＤカメラ２２が属するプラントエリアを記憶する。
【００４１】
図１５は映像データベース２３の一例を示す説明図であり、図１５では、表形式のデータとして各ＣＣＤカメラ２２に対するプラントエリアを記憶した一例を示している。
【００４２】
警報送信部１５では警報が発生したときに、警報プラントエリアデータベース１６から当該警報のプラントエリアを決定し、映像データベース２３で設定されているＣＣＤカメラ２２のうち当該プラントエリアに属するＣＣＤカメラ２２を決定し、当該ＣＣＤカメラ２２の画像を画像入力部２４で入力し携帯端末１２に送信する。該当するＣＣＤカメラ２２が複数ある場合は、携帯端末１２側で表示の対象とするＣＣＤカメラ２２を選択できるようにしてもよい。
【００４３】
第６の実施の形態によれば、警報が発生したときに当該警報に設定されているプラントエリアに関連する現場の状態を動画にて即座に確認を行うことが可能となり、運転員は迅速な判断を行うことができる。
【図面の簡単な説明】
【００４４】
【図１】本発明の第１の実施の形態に係わるプラント監視装置のブロック構成図。
【図２】本発明の第１の実施の形態における警報データベースの構成図。
【図３】本発明の第１の実施の形態における端末データベースの説明図。
【図４】本発明の第１の実施の形態における警報送信部の処理内容の一例の説明図。
【図５】本発明の第２の実施の形態に係わるプラント監視装置のブロック構成図。
【図６】本発明の第２の実施の形態における警報プラントエリアデータベースの構成図。
【図７】本発明の第２の実施の形態におけるプラント情報データベースの説明図。
【図８】本発明の第３の実施の形態に係わるプラント監視装置の構成図。
【図９】本発明の第３の実施の形態における警報情報入力部から入力され警報情報記憶部に記憶された警報情報の一例の説明図。
【図１０】本発明の第４の実施の形態に係わるプラント監視装置の構成図。
【図１１】本発明の第４の実施の形態における手動操作記憶部に記憶された手動操作履歴の一例の説明図。
【図１２】本発明の第５の実施の形態に係わるプラント監視装置の構成図。
【図１３】本発明の第５の実施の形態における手動操作代理部に予め設定されている手動操作項目の一例の説明図。
【図１４】本発明の第６の実施の形態に係わるプラント監視装置の構成図。
【図１５】本発明の第６の実施の形態における映像データベースの一例を示す説明図。
【符号の説明】
【００４５】
１１…プラント監視装置、１２…携帯端末、１３…端末データベース、１４…警報データベース、１５…警報送信部、１６…警報プラントエリアデータベース、１７…プラント情報データベース、１８…警報情報入力部、１９…警報情報記憶部、２０…手動操作記憶部、２１…手動操作代理部、２２…ＣＣＤカメラ、２３…映像データベース、２４…画像入力部
【図１】
2005339428.tif 000003
【図２】
2005339428.tif 000004
【図３】
2005339428.tif 000005
【図４】
2005339428.tif 000006
【図５】
2005339428.tif 000007
【図６】
2005339428.tif 000008
【図７】
2005339428.tif 000009
【図８】
2005339428.tif 000010
【図９】
2005339428.tif 000011
【図１０】
2005339428.tif 000012
【図１１】
2005339428.tif 000013
【図１２】
2005339428.tif 000014
【図１３】
2005339428.tif 000015
【図１４】
2005339428.tif 000016
【図１５】
2005339428.tif 000017